(57)【特許請求の範囲】
【請求項１】
ケーシングに備えた吸引口から外気を吸引し吹出口に向けて送風する送風機と、
前記送風機によって吸引された空気の通流経路内に設けられており空気を加熱する加熱機構と、
前記加熱機構を通過した端部側の空気を中央方向に案内する案内羽根で構成され、前記加熱機構を通過した空気を混合する混合機構と、
前記吹出口に設けられ、複数の羽板を並設したルーバーと、
を備え、
前記案内羽根は前記羽板に設けられ、前記羽板を通過する空気を案内するように構成されている温風暖房機。
【請求項２】
前記案内羽根は前記羽板の表面から突出するように配置された少なくとも一対の板状体で構成され、前記一対の板状体の間隙が空気の流れ方向に沿う下流側で次第に幅狭に形成されている請求項１記載の温風暖房機。
【請求項３】
前記加熱機構は通電により発熱する複数の発熱モジュールを備えて構成され、
前記発熱モジュールが前記ルーバーの前記羽板に沿った方向に並設され、全ての発熱モジュールへの通電と、少なくとも一部の発熱モジュールへの通電とが選択的に切替可能に構成されている請求項１または２記載の温風暖房機。
【発明の詳細な説明】
【技術分野】
【０００１】
本発明は、温風暖房機に関する。
【背景技術】
【０００２】
特許文献１には、下部より上部の断面積が順次小となる形状で後部に吸込口を設け、前部には狭角度に開口した吹出口を設け、高さをほぼ“人のひざ”の高さに形成した本体の内部にファンモータおよびセラミックヒータを設け、吹出口には可動自在に風向変更用のルーバーを設けた構成とする縦型電気温風機が開示されている。
【０００３】
当該縦型電気温風機は、本体の高さがほぼ人のひざの高さに形成しているので、安定性が良く、暖を得たい足元から腰あたりまでの効率良く暖められ、また、ルーバーを自動的に首振動作させることにより、局部的に異常に加熱されることが緩和されるようになっている。
【０００４】
また、特許文献２には、セラミックヒータに通電を行うとともに送風ファンを駆動してセラミックヒータに発生する熱を温風として送風する電気温風機において、２本のＰＴＣヒータに対して互いに１８０°位相のずれた各半波波形の電力をそれぞれ供給し、このときにＰＴＣヒータに発生する熱を送風ファンの駆動により温風として送風する電気温風機が開示されている。
【０００５】
当該電気温風機によれば、温風の風量を一定のままに、ＰＴＣヒータへの電力量の制御ができ、これにより、温風の温度制御ができるようになっている。
【先行技術文献】
【特許文献】
【０００６】
【特許文献１】特開平８−３３４２６４号公報
【特許文献２】特開平８−２６１５６０号公報
【発明の概要】
【発明が解決しようとする課題】
【０００７】
しかし、特許文献１に開示された縦型電気温風機は、ルーバーを自動的に首振動作させることにより、局部的に異常に加熱されることが緩和されるように構成されているだけで、適度な温度に制御された温度ムラの小さい温風を、暖を得たい足元から腰あたりに送風するものとはなっていなかった。
【０００８】
また、特許文献２に開示された電気温風機は、ＰＴＣヒータへの電力量を制御することにより、温風の風量を一定のままに、温風の温度制御が可能となっているが、ＰＴＣヒータへの電力量の制御方法は複雑で、また高価なものとなっていた。
【０００９】
本発明の目的は、上述した従来の問題点に鑑み、加熱機構を通過した温風に温度ムラが生じる場合であっても、シンプルな構造で均一な温度の温風を出力でき且つ安価な温風暖房機を提供する点にある。
【課題を解決するための手段】
【００１０】
上述の目的を達成するため、本発明による温風暖房機の第一の特徴構成は、特許請求の範囲の書類の請求項１に記載した通り、ケーシングに備えた吸引口から外気を吸引し吹出口に向けて送風する送風機と、前記送風機によって吸引された空気の通流経路内に設けられており空気を加熱する加熱機構と、前記加熱機構を通過して前記吹出口から吹き出される空気を混合する混合機構と、を備えている点にある。
【００１１】
送風機で吸引された外気が加熱機構を通過して加熱される際に、仮に温度ムラが生じるような場合でも、吹出口から吹き出される空気が混合機構によって均一な温度になるように混合調整されるので、利用者に不快感を与えるようなことがない。尚、吹出口から吹き出される前に混合機構によって混合されてもよいし、吹出口から吹き出された後に混合機構によって混合されてもよいし、吹出口から吹き出される際に混合機構によって混合されてもよい。
【００１２】
同第二の特徴構成は、同請求項２に記載した通り、上述の第一の特徴構成に加えて、前記混合機構は、前記加熱機構を通過した端部側の空気を中央方向に案内する案内羽根で構成されている点にある。
【００１３】
加熱機構を通過した端部側の空気の温度と他の部位の空気の温度が異なる場合であっても、加熱機構を通過した端部側の空気が案内羽根によって中央方向に案内されて、他の部位の空気と混合されて均一な温度に調整された温風として吹出口から吹き出されるようになる。加熱後の温度不均一な空気の流れを調整する案内羽根であればシンプルな構造で均一な温度の温風を出力でき且つ安価に構成できるようになる。
【００１４】
同第三の特徴構成は、同請求項３に記載した通り、上述の第二の特徴構成に加えて、前記吹出口に複数の羽板を並設したルーバーが設けられ、前記案内羽根は前記羽板に設けられ、前記羽板を通過する空気を案内するように構成されている点にある。
【００１５】
加熱機構で加熱された空気が羽板を通過して吹き出される際に、羽板に設けられた案内羽根によって均一な温度に混合調整されるようになる。温風の吹き出し方向に沿う羽板の幅内に案内羽根を配置すれば、温風の吹き出し方向に沿って装置全体を薄型に構成できるようになる。
【００１６】
同第四の特徴構成は、同請求項４に記載した通り、上述の第三の特徴構成に加えて、前記案内羽根は前記羽板の表面から突出するように配置された少なくとも一対の板状体で構成され、前記一対の板状体の間隙が空気の流れ方向に沿う下流側で次第に幅狭に形成されている点にある。
【００１７】
ルーバーから吹き出される空気が羽板に備えた一対の板状体に案内されて幅狭の下流側で次第に混合されて均一な温度に調整され、吹き出されるようになる。
【００１８】
同第五の特徴構成は、同請求項５に記載した通り、上述の第一から第四の何れかの特徴構成に加えて、前記加熱機構は通電により発熱する複数の発熱モジュールを備えて構成され、全ての発熱モジュールへの通電と、少なくとも一部の発熱モジュールへの通電とが選択的に切替可能に構成されている点にある。
【００１９】
発熱モジュールへの通電状態の切替により消費電力を調整することが可能になる。しかし、一部の発熱モジュールへの通電状態では、発熱モジュールを通過した空気に温度ムラが生じ、そのまま吹き出されると利用者に不快感を与える虞がある。そのような場合でも上述した混合機構によって均一な温度に調整された温風が吹き出されるようになる。
【００２０】
同第六の特徴構成は、同請求項６に記載した通り、上述の第五の特徴構成に加えて、前記発熱モジュールが前記吹出口の横幅方向に沿って左右に並設され、左右の発熱モジュールへの通電と、左右何れか一方の発熱モジュールへの通電とが選択的に切替可能に構成されている点にある。
【００２１】
左右何れか一方の発熱モジュールへ通電された状態では、通電された発熱モジュールを通過した空気は加熱された暖かい空気となるが、通電されていない発熱モジュールを通過した空気は冷風のままとなる。そのような場合でも、上述した混合機構によって左右方向で均一な温度に調整された温風が吹き出されるようになる。
【発明の効果】
【００２２】
以上説明した通り、本発明によれば、加熱機構を通過した温風に温度ムラが生じる場合であっても、シンプルな構造で均一な温度の温風を出力でき且つ安価な温風暖房機を提供することができるようになった。
【図面の簡単な説明】
【００２３】
【図１】（ａ）は本発明による温風暖房機の斜視図、（ｂ）は同正面図、（ｃ）は同背面図
【図２】温風暖房機の操作部の説明図
【図３】（ａ）は温風暖房機の正面図、（ｂ）は（ａ）のＡ−Ａ断面図
【図４】（ａ）は温風暖房機の分解斜視図、（ｂ）は操作部と脚部を除いた温風暖房機を側面から見た分解図
【図５】（ａ）はヒータユニットの分解斜視図、（ｂ）は同側面から見た分解図
【図６】（ａ）は上段のヒータユニットの分解斜視図、（ｂ）は同側面から見た分解図
【図７】（ａ）は発熱モジュールが左右２列に配列されたＰＴＣヒータを模式的に示した正面図、（ｂ）は同側面図、（ｃ）は同底面図
【図８】ＰＴＣヒータの制御回路の説明図
【図９】羽板に案内羽根が設けられたルーバーの斜視図
【図１０】（ａ）は案内羽根が設けられた羽板を斜め上方から見た斜視図、（ｂ）は同斜め下方から見た斜視図、（ｃ）は同平面図、（ｄ）は同正面図、（ｃ）は同底面図
【図１１】左右の一方の発熱モジュールが通電されているＰＴＣヒータを通過した空気が一対の板状体の案内羽根で混合される様子を説明する図
【図１２】発熱モジュールが左右に４列配列され一つ置きに通電されているＰＴＣヒータを通過した空気が二対の板状体の案内羽根で混合される様子を説明する図
【発明を実施するための形態】
【００２４】
以下に、本発明を構成する温風暖房機１の一例を図面に基づいて説明する。
図１（ａ）〜（ｃ）及び図３（ａ），（ｂ）に示すように、温風暖房機１は、上下２段のタワータイプで、ケーシング２と、ケーシング２の背面に設けられた上下２段の吸引口３と、同じく正面に設けられた上下２段の吹出口４とを備えている。
【００２５】
各吸引口３から外気を吸引し各吹出口４に向けて送風する上下２段の送風機５が設けられ、各送風機５によって吸引された空気の通流経路内に夫々加熱機構６が設けられ、吸引された外気が加熱機構６により加熱された後に各吹出口４に備えたルーバー７０から吐き出されるように構成されている。さらに、温風暖房機１には、加熱機構６を通過した空気を混合する混合機構７（図３（ｂ）参照）が設けられている。通流経路とは、吸引口３から吸引され、送風機５を経由して吹出口４に到るまでの空気の流れに沿った経路である。
【００２６】
つまり、上段の吹出口４から吹き出される温風は、立ち作業をする人の腰回りや座り作業をする人の背中の辺りを温め、下段の吹出口４から吹き出される温風は、作業者の足元を温めるようになっている。すなわち、上下２段の吹出口４からの温風により、体全体が温まる上下２段のタワータイプに構成されている。
【００２７】
人感センサ１１が、ケーシング２の正面上部に設けられている。当該人感センサ１１は、赤外線センサまたは超音波センサを用いて構成されたセンサである。人感センサ１１による検知信号は後述する回路基板１２ａに出力され、回路基板１２ａはこの検知信号に基づいて温風の制御を行う。これにより、温風暖房機１の正面に人が近づくと、人の存在を人感センサ１１が検知し、温風暖房機１を自動でＯＮにすることができる。また、温風暖房機１をＯＦＦにせずに、人の存在を検知しない状態が所定時間継続した場合には、温風暖房機１を自動でＯＦＦにすることもできる。
【００２８】
温風暖房機１を操作するための操作部１２が、ケーシング２の上面に設けられている。
図２には、操作部１２の操作ボタンの詳細が示されている。中央部の下側には、主電源ボタン１２ｆが独立して配置されている。
【００２９】
モード切替ボタン１２ｂは、運転モードを切り替えるボタンである。上述の人感センサ１１を作動させてＯＮ／ＯＦＦを自動で行う運転をするのか、あるいは人感センサ１１を作動させずに連続運転をするのか、それとも室温に連動して運転をするのか、これら運転モードの選択が、モード切替ボタン１２ｂにより可能になっている。尚、室温に連動した運転モードでは、温度切替ボタン１２ｃにより、高温から低温までの４段階の室温設定が可能である。温風暖房機１には室温センサが備えられており、室温に連動した運転モードでは、設定室温になるよう運転が調整される。
【００３０】
図３（ｂ）に示すように、温風暖房機１には、加熱機構６である上下２段のＰＴＣヒータ６４が備えられており、夫々のＰＴＣヒータ６４は、独立した制御が可能となっている。図２に戻って、すなわち、上段のＰＴＣヒータ６４は上ヒータ切替ボタン１２ｄで、下段のＰＴＣヒータ６４は下ヒータ切替ボタン１２ｅで、夫々制御モードの選択が可能となっている。尚、選択できる制御モードには、強、弱、切の３種類ある。
【００３１】
図３（ａ），（ｂ）及び図４（ａ），（ｂ）に示すように、ケーシング２は、正面パネル２ａと背面パネル２ｂとに２分割されている。そして、ケーシング２の上面には、操作部１２があり、その下方には、制御手段を構成する回路基板１２ａが設けられている。そして、ケーシング２の下面側には、脚部１３が備えられている。脚部１３は、略円板状で、ケーシング２の横断面より大きく、地震等による転倒防止の効果が高くなっている。
【００３２】
背面パネル２ｂには、上下に２つの吸引口３がある。そして、背面パネル２ｂの外側には、吸引口３を覆うようにして防塵フィルタ２ｃが取り付けられている。正面パネル２ａには、上下に２つの吹出口４が設けられている。そして、上下２つの吹出口４は、背面パネル２ｂの上下２つの吸引口３に対向するように夫々設けられている。
【００３３】
既に説明した通り、送風機５とヒータユニット６０とが、ケーシング２に内蔵されている。送風機５は軸流ファン５１で２台備えられており、夫々背面側の上下２つの吸引口３に直接対向する位置に設置されている。送風機５の正面側には、ヒータユニット６０が配置され、正面パネル２ａの吹出口４に嵌め込むようにして取り付けられている。
【００３４】
これにより、送風機５により吸引された外気は、防塵フィルタ２ｃにより塵や埃が除去された後、吸引口３よりケーシング２内に吸引され、ヒータユニット６０で加熱等されて、吹出口４より温風となって吹き出される。
【００３５】
図５（ａ），（ｂ）に示すように、ヒータユニット６０は、上段と下段の２つのヒータユニット６０ａ，６０ｂが連結部材６０ｃで上下に連結されて構成されている。
【００３６】
図６（ａ），（ｂ）に示すように、上段のヒータユニット６０ａは、ＰＴＣヒータ６４、ヒータケース６ａ、安全メッシュ６ｄ、混合機構７としての案内羽根７３を備えたルーバー７０、及び外枠体７１を備えて構成されている。尚、下段のヒータユニット６０ｂも同様の構成になっている。
【００３７】
ＰＴＣヒータ６４は、ヒータケース６ａに収納されるようになっている。そして、ヒータケース６ａには、バイメタル式のサーモスタット６ｂが取り付けられており、ＰＴＣヒータ６４の温度調節を行うようになっている。また、温度ヒューズ６ｃが、ヒータケース６ａに取り付けられており、ＰＴＣヒータ６４が異常発熱した場合に、ＰＴＣヒータ６４に供給する電源を遮断するようになっている。
【００３８】
さらに、ルーバー７０の羽板７２の隙間を介して高温のＰＴＣヒータ６４に手指が接触することを防止するため、ルーバー７０とＰＴＣヒータ６４との間に安全メッシュ６ｄが設けられている。
【００３９】
ヒータユニット６０では、送風機５（図３（ｂ）参照）によって吸引された空気が、ＰＴＣヒータ６４で加熱された後に案内羽根７３で混合され吹き出される。
【００４０】
図７（ａ）〜（ｃ）に示すように、ＰＴＣヒータ６４は、温度と共に抵抗値が大きくなる性質をもつＰＴＣサーミスタ６２を使用したヒータである。つまり、ヒータ自身が自己温度制御機能を有しているため、一旦温まると無駄な電力消費をしなくなり、また、異常な温度上昇の虞も少ないという特徴がＰＴＣヒータ６４にはある。
【００４１】
当該ＰＴＣヒータ６４は二つの発熱モジュール６１で構成され、発熱モジュール６１は吹出口４の横幅方向に沿って左右２列に配列されて構成されている（図４（ａ）参照）。各発熱モジュール６１は、ＰＴＣサーミスタ６２とその両側に密着して配置されたフィン６３とＰＴＣサーミスタ６２に通電するための電極端子Ｔ０〜Ｔ２を備えている。尚、中央の電極端子Ｔ０は、左右２つの発熱モジュール６１の共通端子となっている。フィン６３には、コルゲートフィンの他、オフセットフィン、ウェービングフィン等が用いられ、その材質は、熱伝導率の高いアルミ、銅等が使用されている。
【００４２】
送風機５（図４参照）によって吸引された空気は、フィン６３の間隙を通過してＰＴＣヒータ６４の背面側から正面側に流れるようになっている。ＰＴＣサーミスタ６２は通電により発熱すると、その熱は熱伝導により両側のフィン６３に伝わり、フィン６３が加熱される。そして、加熱され高温となったフィン６３の間隙を空気が通過する際に、主としてフィン６３からの熱伝達によって空気は温められるようになっている。尚、フィン６３の間隙を通過する空気の流量、圧力損失、及び熱伝達率等を考慮してフィン構造を設計するのが好ましい。
【００４３】
図８に示すように、ＰＴＣヒータ６４の左右２列に配列された発熱モジュール６１は、回路基板１２ａ（図４参照）からの信号に基づいて、夫々左右のスイッチＳ１，Ｓ２を切替えることで、通電の制御を独立して行うことができる。例えば、図２に示した制御部２の上ヒータ切替ボタン１２ｄを切にした場合、上段のヒータユニット６０ａに装着されたＰＴＣヒータ６４の左右２つの発熱モジュール６１の両方のスイッチＳ１，Ｓ２がＯＦＦとなる。また、上ヒータ切替ボタン１２ｄを弱にした場合には、左右２つの発熱モジュール６１の一方のスイッチＳ１はＯＮとなり、他方のスイッチＳ２はＯＦＦとなり、さらに、上ヒータ切替ボタン１２ｄを強にした場合には、左右２つの発熱モジュール６１の両方のスイッチＳ１，Ｓ２がＯＮとなる。尚、スイッチＳ１，Ｓ２を回路基板１２ａ内に一体的に構成してもよい。
【００４４】
即ち、加熱機構６は通電により発熱する複数の発熱モジュール６１を備えて構成され、全ての発熱モジュール６１への通電と、少なくとも一部の発熱モジュール６１への通電とが選択的に切替可能に構成されている。
【００４５】
このように、夫々の発熱モジュール６１の通電を独立して制御することができるため、夫々の発熱モジュール６１のフィン６３の間隙を通過する空気の温度を独立して変えることが可能となっている。尚、下ヒータ切替ボタン１２ｅによる下段のヒータユニット６０ｂに装着されたＰＴＣヒータ６４の左右２つの発熱モジュール６１の通電の制御も同様である。
【００４６】
左右２列に配列された発熱モジュール６１の一方のみに通電された場合には、通電されている発熱モジュール６１を通過する空気は加熱されるが、他方の非通電の発熱モジュール６１を通過する空気は加熱されていないため、吹出口４から吹き出される空気に温度差が生じ、利用者に不快感を与える虞がある。
【００４７】
そこで、そのような場合でも、略均一温度の温風を吹き出すことができるように、加熱機構を通過した空気を混合する混合機構７として機能する案内羽根７３が設けられている。
【００４８】
図９，図１０（ａ）〜（ｅ）に示すように、ルーバー７０は、左右２つの支柱７２ｄ（図６参照）の間に複数の羽板７２が略等間隔で縦方向に並設されて構成されている。
【００４９】
羽板７２は略台形状の板状で、長辺が空気の流れ方向に垂直になるよう配置されている。空気の下流側の長辺は、弧状で空気の下流側に凸となっている。空気の上流側の長辺の両端には空気の上流側に延出する延出部７２ａがあり、夫々の延出部７２ａの先端には長辺に平行に外方に突き出た突出部７２ｂがある。
【００５０】
夫々の突出部７２ｂの先端には空気の下流側に所定量のオフセットをさせて先端部７２ｃが設けられている。突出部７２ｂは外枠体７１（図６参照）の溝部に係合し、左右の突出部７２ｂを通る軸を中心にして、羽板７２は回転自由となっている。先端部７２ｃは左右の支柱７２ｄに支持されている。そのため、いずれかの羽板７２を、突出部７２ｂを通る軸を中心にして回転させると、これに伴って先端部７２ｃを支持する支柱７２ｄが上下移動することで、並設された他の羽板７２も、突出部７２ｂを通る軸を中心に連動して回転することになる。
【００５１】
これにより、空気の吹出方向を上下方向に調節することができ、また、空気の吹出流量の調節も可能となっている。
【００５２】
案内羽根７３が羽板７２の下面側に設けられている。尚、案内羽根７３は羽板７２と一体成型されていても、また、別部材として構成されていてもよい。案内羽根７３は羽板７２の下面側の表面から突出するように配置された一対の板状体７４である。板状体７４は、略矩形状で、羽板７２とは長辺の１辺で接し、羽板７２と直交している。
【００５３】
そして、板状体７４の当該長辺の両端は、夫々羽板７２の空気の上流側の長辺、及び羽板７２の空気の下流側の長辺と接している。板状体７４は、空気の流れ方向と角度をなしており、一対の板状体７４の間隙が空気の流れ方向に沿う下流側で次第に幅狭になるように形成されている。
【００５４】
これにより、羽板７２の左右の両端部側に流入した空気は、並設された羽板７２の間隙を通過する間に、案内羽根７３により中央方向に案内され、羽板７２の中央部に流入した空気と混合されることになる。尚、上述の空気の流れ方向と板状体７４とがなす角度θは、３０〜６０度が好ましく、４０〜５０度がより好ましい。
【００５５】
図１１に示すように、ＰＴＣヒータ６４の左の発熱モジュール６１ａが通電され、右の発熱モジュール６１ｂが通電されていない場合には、送風機５（図４参照）により吸引された空気がＰＴＣヒータ６４を通過する際に、左の発熱モジュール６１ａを通過する空気は加熱される一方、右の発熱モジュール６１ｂを通過する空気は加熱されない。
【００５６】
そのため、ＰＴＣヒータ６４を通過した空気は、左の発熱モジュール６１ａを通過し加熱された温かい空気（図中の太線矢印）と、右の発熱モジュール６１ｂを通過し加熱されなかった冷たい空気（図中の細線矢印）とに分かれて流出することになる。
【００５７】
しかし、その後、温かい空気と冷たい空気とは、案内羽根７３を備えた羽板７２を通過する間に混合されることになる。すなわち、羽板７２の左端部側に流入した温かい空気は、案内羽根７３を構成する左の板状体７４により流れ方向が変えられ、中央方向、すなわち左右方向の中央に向かって案内される。
【００５８】
他方、羽板７２の右端部側に流入した冷たい空気は、案内羽根７３を構成する右の板状体７４により流れ方向が変えられ、同じく中央方向に案内される。このようにして、羽板７２の中央方向に案内された温かい空気と冷たい空気とは、共に羽板７２の中央部付近で混合されることになる。
【００５９】
そして、温かい空気と冷たい空気とがムラなく混合されることで、適度な温度に制御され、しかも温度ムラが小さくなった空気が、温風となって案内羽根７３を備えたルーバー７０から流出することになる。
【００６０】
以下、別実施形態を説明する。
図１２に示すように、ＰＴＣヒータ６４には、上述の発熱モジュール６１が左右に４列備えられ、また、ルーバー７０の羽板７２には、上述の一対の板状体７４が左右に二対並設されて構成されている案内羽根７３が形成されていてもよい。ＰＴＣヒータ６４の夫々の発熱モジュール６１は、独立した通電の制御が可能となっている。
【００６１】
ここでは、ＰＴＣヒータ６４の発熱モジュール６１は、一つ置きに通電されるよう制御されている。そのため、送風機５（図４参照）により吸引された後にＰＴＣヒータ６４を通過した空気は、通過した発熱モジュール６１に対応して、温かい空気（図中の太線矢印）あるいは冷たい空気（図中の細線矢印）となる。
【００６２】
その結果、温かい空気と冷たい空気とが、左右に一つ置きにＰＴＣヒータ６４から流出することになる。そして、ＰＴＣヒータ６４の左側部を通過した温かい空気と冷たい空気とは、ルーバー７０の羽板７２に形成されている左の一対の板状体７４により混合され、また、ＰＴＣヒータ６４の右側部を通過した温かい空気と冷たい空気とは、ルーバー７０の羽板７２に形成されている右の一対の板状体７４により混合される。こうして、温かい空気と冷たい空気とがムラなく混合されることで、適度な温度でしかも温度ムラの小さい空気が、温風となって案内羽根７３を備えたルーバー７０から流出することになる。
【００６３】
上述のような発熱モジュール６１が左右に配列されたＰＴＣヒータ６４ではなく、発熱モジュール６１が上下に配列されたＰＴＣヒータ６４を用いてもよい。そして、それに伴い、ルーバー７０の羽板７２を縦姿勢にして、略等間隔で横方向に並設するように構成してもよい。この場合も羽板７２に案内羽根７３を一体に形成することで、上下方向の中央に向かって空気を案内して、上述と同様に温度ムラを低減することができる。
【００６４】
また、複数の発熱モジュール６１が配列されたＰＴＣヒータ６４を用いた場合に、ＯＮまたはＯＦＦ状態の発熱モジュール６１の比率を変えて、温風の温度を変えるようにしてもよい。さらに、ＯＮ状態の発熱モジュール６１が多い領域と少ない領域とを敢えて形成することで、温風に温度勾配をつけることも可能である。
【００６５】
また、温風暖房機１は、上下２段のタワータイプに限るものではなく、ヒータユニット６０は１段であっても、あるいは３段以上あっても構わない。そして、複数段のヒータユニット６０がある場合には、各ヒータユニット６０は、独立して温度の制御ができるようにするのが好ましい。これにより、足元、腰回り、肩や頭等に対して、夫々の部位に適した温度の温風を当てることができるようになる。
【００６６】
また、案内羽根７３は、必ずしもルーバー７０の羽板７２に一体となって形成されていなくてもよい。すなわち、複数の案内羽根７３は、隣接する上下の羽板７２の間に羽板７２から離隔して配置され、略等間隔で縦方向に並設されて構成されるようにしてもよい。また、ルーバー７０と加熱機構６との間の空間に案内羽根７３が配置され、或いはルーバー７０を挟んで加熱機構６の反対側に案内羽根７３が配置されていてもよい。
【００６７】
また、案内羽根７３は、上述の一対の板状体７４と同様な一対の板状体７４で、２つの板状体７４の間隔が上述の一対の板状体７４の間隔より狭い一対の板状体板状体７４が、上述の一対の板状体７４の内側に内包されるようにさらに形成されるように構成してもよい。こうすることで、二対の板状体７４の間隙が空気の流れ方向に沿う下流側で次第に幅狭になるように形成されることになるため、温かい空気と冷たい空気との混合はさらに促進されることになる。
【００６８】
また、案内羽根７３は、平板状の板状体７４で構成されたものに限るものではなく、湾曲した板状体やブロック状のもので構成してもよい。
【００６９】
上述した実施形態では、加熱機構６がＰＴＣヒータで構成された例を説明したが、ＰＴＣヒータ以外に他の発熱体等で加熱機構６が構成されていてもよく、例えばニクロム線が金属パイプに収容されたシーズヒータや、通流経路に沿った空気の流れを妨げないように平行配置された複数毎のパネルヒータ等で構成されていてもよい。また、電気抵抗体からの発熱を熱源とするもの以外に、灯油やガス等の燃焼熱を熱源とする場合であってもよい。
【００７０】
以上説明した温風暖房機は、本発明の一実施形態に過ぎず、該記載により本発明の範囲が限定されるものではなく、本発明の作用効果を奏する範囲で各部の具体的な構造、形状、大きさ、材料等は適宜変更設計することができることはいうまでもない。
【符号の説明】
【００７１】
１：温風暖房機
２：ケーシング
３：吸引口
４：吹出口
５：送風機
５１：軸流ファン
６：加熱機構
６０、６０ａ、６０ｂ：ヒータユニット
６１、６１ａ、６１ｂ：発熱モジュール
６２：ＰＴＣサーミスタ
６３：フィン
６４：ＰＴＣヒータ
７：混合機構
７０：ルーバー
７２：羽板
７３：案内羽根
７４：板状体
１１：人感センサ
１２：操作部
１２ａ：回路基板
１３：脚部
【図１】
0006674212.tif 000002
【図２】
0006674212.tif 000003
【図３】
0006674212.tif 000004
【図４】
0006674212.tif 000005
【図５】
0006674212.tif 000006
【図６】
0006674212.tif 000007
【図７】
0006674212.tif 000008
【図８】
0006674212.tif 000009
【図９】
0006674212.tif 000010
【図１０】
0006674212.tif 000011
【図１１】
0006674212.tif 000012
【図１２】
0006674212.tif 000013